(57)【特許請求の範囲】
【請求項１】
亜塩素酸ソーダと、
下記一般式（１）で表わされる分岐カルボン酸又はその塩〔（Ａ）成分〕と下記一般式（２）で表される非イオン界面活性剤〔（Ｂ）成分〕とを含有する繊維用漂白助剤と、
を含有するｐＨ３〜５の水溶液を、繊維と接触させる繊維の漂白方法。
Ｒ1ＣＯＯＭ      （１）
〔式中、Ｒ1は炭素数１〜１４の分岐鎖を有し、総炭素数が８〜２４である分岐度が２以上の炭化水素基を示し、Ｍは水素原子、アルカリ金属、炭素数１〜４の脂肪族アミン、アンモニア、又はモノ、ジもしくはトリアルカノールアミンを示す。〕
Ｒ2Ｏ(ＡＯ)mＨ      （２）
〔式中、Ｒ2は炭素数８〜１８の直鎖もしくは分岐鎖のアルキル基、炭素数８〜１８の直鎖もしくは分岐鎖のアルケニル基、又はアルキル基の炭素数が８〜２２のアルキルアリール基を、ＡＯは炭素数２〜３のオキシアルキレン基を、ｍは３〜３０の数を示す。〕
【請求項２】
前記繊維用漂白助剤の（Ａ）成分が、下記一般式（１ａ）で表される分岐カルボン酸である請求項１記載の漂白方法。
【化１】
0004056651.tif 000005
〔式中、Ｒ3 及びＲ4 は同一又は相異なって、炭素数５〜８の直鎖又は分岐鎖のアルキル基であり、それらの分岐度の合計が２以上となるような組み合わせであり、Ｍは水素原子、アルカリ金属、炭素数１〜４の脂肪族アミン、アンモニア、又はモノ、ジもしくはトリアルカノールアミンを示す。〕
【請求項３】
前記繊維用漂白助剤における（Ａ）成分と（Ｂ）成分の重量比が（Ａ）：（Ｂ）＝０．５：９９．５〜１０：９０である請求項１又は２記載の漂白方法。
【発明の詳細な説明】
【０００１】
【発明の属する技術分野】
本発明は繊維用漂白助剤に関する。
【０００２】
【従来の技術】
精練終了後の織り上がりの生機を漂白する漂白工程は、その後の染色工程を効果的に行うために重要である。この漂白工程を亜塩素酸ソーダ水溶液を用いて行う方法が知られている。亜塩素酸ソーダは酸で活性化され、発生する二酸化塩素ガスが繊維内部へ拡散し、漂白が行われる事から、水溶液のｐＨは酢酸、ギ酸等で３〜５の酸性側に調整される。その際、天然色素分に対して十分な漂白処理をするために、漂白助剤として、非イオン界面活性剤、アニオン界面活性剤等が併用される。
【０００３】
しかしながら、亜塩素酸ソーダ漂白時に上記漂白助剤を用いた場合、発泡により処理槽からの流出が起こり、漂白成分濃度の低下等の問題がある。その為、油脂類、高級アルコール類、金属石鹸、シリコーンオイル、疎水性シリカ、シリコーンコンパウンド、変性シリコーン等のシリコーン消泡剤、ポリグリコール等のポリエーテル系消泡剤を使用する試みがなされているが、ｐＨ＝３〜５の酸性条件下で十分な制泡効果のあるものは未だ見出されていない。また、油脂類、高級アルコール類、金属石鹸やシリコーンオイル系消泡剤は、水に不溶性又は難溶性である為、繊維に再付着を引き起こし染色不良を生じる欠点があり、ポリエーテル系消泡剤は、排水規制の対象であるＣＯＤ、ｎ−ヘキサン抽出量が増加するため、使用量を低減する必要がある。特開昭５１−３１６８７号及び特開平９−３０８８０４号に、分岐カルボン酸を湿潤剤及び消泡剤に用いる事が開示されているが、酸性（ｐＨ＝３〜５）下で低泡化が達成できる事は示されていない。
【０００４】
【発明が解決しようとする課題】
本発明は、酸性（ｐＨ＝３〜５）下の漂白処理の際に低泡化を実現できる繊維漂白助剤を提供することを目的とする。
【０００５】
【課題を解決するための手段】
本発明は、下記一般式（１）で表わされる分岐カルボン酸又はその塩〔（Ａ）成分〕と、下記一般式（２）で表される非イオン界面活性剤〔（Ｂ）成分〕とを含有し、ｐＨ３〜５の漂白工程で用いられる繊維用漂白助剤を提供する。
Ｒ1ＣＯＯＭ         （１）
〔式中、Ｒ1 は炭素数１〜１４の分岐鎖を有し、総炭素数が８〜２４である分岐度が２以上の炭化水素基を示し、Ｍは水素原子、アルカリ金属、炭素数１〜４の脂肪族アミン、アンモニア、又はモノ、ジもしくはトリアルカノールアミンを示す。〕
Ｒ2Ｏ(ＡＯ)mＨ      （２）
〔式中、Ｒ2 は炭素数８〜１８の直鎖もしくは分岐鎖のアルキル基、炭素数８〜１８の直鎖もしくは分岐鎖のアルケニル基、又はアルキル基の炭素数が８〜２２のアルキルアリール基を、ＡＯは炭素数２〜３のオキシアルキレン基を、ｍは３〜３０の数を示す。〕
また、本発明は、亜塩素酸ソーダと前記繊維用漂白助剤とを含有するｐＨ３〜５の水溶液を、繊維と接触させる繊維の漂白方法を提供する。
【０００６】
【発明の実施の形態】
（Ａ）成分の分岐度２以上のカルボン酸又はその塩としては、全炭素数１４〜１８の分岐カルボン酸及びこれらのカルボキシル基が部分的あるいは全てＮａ、Ｋ、ＮＨ4 等で塩になったものが挙げられる。（Ａ）成分としては、特に下記一般式（１ａ）で表される分岐カルボン酸が好ましい。
【０００７】
【化２】
0004056651.tif 000002
【０００８】
〔式中、Ｒ3 及びＲ4 は同一又は相異なって、炭素数５〜８の直鎖又は分岐鎖のアルキル基であり、それらの分岐度の合計が２以上となるような組み合わせであり、Ｍは水素原子、アルカリ金属、炭素数１〜４の脂肪族アミン、アンモニア、又はモノ、ジもしくはトリアルカノールアミンを示す。〕
一般式（１ａ）において、Ｒ3 及びＲ4 は炭素数が５〜８の直鎖もしくは分岐鎖のアルキル基であり、各々の分岐度が１〜８、分岐度の合計は２〜９が好ましく、更に好ましくはＲ3 及びＲ4 が炭素数６〜８の直鎖もしくは分岐鎖のアルキル基であって、各々の分岐度が２〜４、分岐度の合計が５〜９である。
【０００９】
なお、本発明では、カルボン酸中の３級炭素を分岐度１、４級炭素を分岐度２として分岐数を算出し、その総数が２以上のものを「分岐度２以上のカルボン酸」という。分岐度２以上のカルボン酸又はその塩は２種以上を併用することもできる。
【００１０】
（Ｂ）成分は、一般式（２）のＲ2 に相当する基を含むアルコールにアルキレンオキサイド（以下ＡＯ）を付加して得られる。アルコールとしては、オクチル、イソオクチル、デシル、イソデシル、ドデシル、ラウリル、ミリスチル、パルミチル、ステアリルのような炭素数８〜１８の直鎖又は分岐鎖のアルキル基、オクタデセニル、トリデセニル、テトラデセニル、オレイルのような炭素数８〜１８の直鎖又は分岐鎖のアルケニル基、オクチルフェニル、ノニルフェニル、ドデシルフェニルのようなアルキル基の炭素数が８〜２２のアルキルアリール基が挙げられる。なかでも、アルキル基、アルケニル基が生分解性の観点から好ましく、炭素数１２〜１５の直鎖又は分岐鎖のアルキル基が製品安定性の観点から更に好ましい。一般式（２）中のｍはＡＯの平均付加モル数であり、６〜１２が好ましい。また、付加するＡＯとしては、エチレンオキサイド（以下ＥＯ）、プロピレンオキサイド（以下ＰＯ）が挙げられる。付加様式はＥＯ単独付加物もしくはＥＯとＰＯの混合付加物が配合安定性の観点から好ましい。ＥＯとＰＯのモル比は、ＥＯ／ＰＯ＝１００／０〜５０／５０が配合安定性の観点から好ましい。２種以上のＡＯを用いる場合、付加形態はランダムでもブロックでもよい。
【００１１】
本発明において、（Ａ）成分と（Ｂ）成分の重量比は、漂白性能と低泡性の観点から、（Ａ）：（Ｂ）＝０．５：９９．５〜１０：９０、特に１：９９〜３：９７が好ましい。
【００１２】
本発明の漂白方法は、上記の本発明の繊維用漂白助剤と亜塩素酸ソーダとを含有するｐＨ３〜５の水溶液を、精練後の繊維と接触させる。その際、亜塩素酸ソーダの濃度は、０．２〜０．７重量％、特に０．３〜０．５重量％、本発明の繊維用漂白助剤は、有効分濃度０．０５〜０．３重量％、特に０．１〜０．２重量％の水溶液として用いるのが好ましい。また、該水溶液のｐＨは酢酸、ギ酸等の有機酸により調整できる。
【００１３】
【実施例】
＜漂白処理液の調製＞
０．２５重量％亜塩素酸Ｎａ水溶液を酢酸にてｐＨ３．５に調整し、表１に示す漂白助剤を有効分濃度０．０５重量％となるように添加し漂白処理液を得た。ｐＨは何れも３．５とした。この漂白処理液について、下記の方法で泡高さの確認を行なった。結果を表２に示す。
【００１４】
＜泡高さの測定＞
上記漂白処理液を１０００ｍｌのガラス製メスシリンダー（直径６５ｍｍ、高さ４１０ｍｍ）に３００ｃｃ採取後、３５℃に調整した。次いで、ゴム製チューブ（直径４ｍｍ）の先端にエアーストーン（直径４０ｍｍ）を装着し、メスシリンダー内の底部分に固定し、１Ｌ／Ｍｉｎの割合で空気を３分間継続して吹き込む。空気吹き込み停止直後、１、２、３分後の泡の高さをメスシリンダーの目盛り（単位ｃｃ）より計測した。結果を表２に示す。
【００１５】
【表１】
0004056651.tif 000003
【００１６】
＊１；ＥＯ７モルとＰＯ２モルをランダムに付加した後、ＥＯ２モルを付加したもの（何れも平均付加モル数）。
＊２；メチル分岐を有するステアリン酸
＊３；β分岐を有するステアリン酸
【００１７】
【表２】
0004056651.tif 000004
【００１８】
【発明の効果】
本発明によれば、ｐＨ＝３〜５の酸性領域で優れた低泡性（抑泡、破泡性）を示す繊維用漂白助剤が得られる。